(57)【要約】      （修正有）【課題】ズボンの股下寸法を容易に調整可能で、調整後の股下寸法の保持性と、着用感とに優れたズボンを提供する。【解決手段】ズボン１は、ズボン１に形成される右左各々の筒状部２、３の筒内の脇縫目縫い代部４、５及び内股縫目縫い代部６、７における裾口２ａ、３ａの近傍に、所定間隔を隔ててスリット状のボタン穴が複数設けられた裾丈方向に延びる長尺状の裏地布９を備え、裏地布９は、裾丈方向に並行な一辺を除く三辺が脇縫目縫い代部４、５及び内股縫目縫い代部６、７に縫合され、脇縫目縫い代部４、５及び内股縫目縫い代部６、７の裾口側先端部に、ボタン穴に係止可能なボタン８が設けられ、裾口２ａ、３ａを筒状部２、３の筒内に折り返すと共に、ボタン８を任意のボタン穴に係止することで、筒状部２、３の裾丈方向の寸法を調整可能である。【選択図】図１
0003233079.tif 000002
【実用新案登録請求の範囲】
【請求項１】
ズボンに形成される右左各々の筒状部の筒内の脇縫目縫い代部及び内股縫目縫い代部における裾口の近傍に、所定間隔を隔ててスリット状のボタン穴が複数設けられた裾丈方向に延びる長尺状の裏地布を備え、
前記裏地布は、裾丈方向に並行な一辺を除く三辺が前記脇縫目縫い代部及び前記内股縫目縫い代部に縫合され、
前記脇縫目縫い代部及び前記内股縫目縫い代部の裾口側先端部に、前記ボタン穴に係止可能なボタンが設けられ、
前記裾口を前記筒状部の筒内に折り返すと共に、前記ボタンを任意の前記ボタン穴に係止することで、前記筒状部の裾丈方向の寸法を調整可能であることを特徴とするズボン。
【考案の詳細な説明】
【技術分野】
【０００１】
本考案は、ズボンの股下寸法を調整することができるズボンの裾構造に関する。
【背景技術】
【０００２】
一般に、ズボンの股下寸法が長く、裾を引きずってしまうような場合、例えば、裾を任意の股下寸法になるよう裁断して、内側に巻き上げて縫い止めることで、ズボンの股下寸法を調整する。しかし、ズボンの裾を裁断して縫い止めることは、裁縫技術及びミシン等の設備が必要である上、手間がかかる。
上述の課題を解決するための技術として、例えば、特許文献１には、ズボンの脇縫い及び内股縫いのそれぞれの縫い代における裾近傍には一方のスナップを裾丈方向に複数配置すると共に、他方のスナップを裾先端に配置し、調整したい股下寸法に合わせて選択した一方のスナップと他方のスナップとを組み合わせることで、容易に股下寸法を調整可能な構成が開示されている。
【先行技術文献】
【特許文献】
【０００３】
【特許文献１】特許第３９８４２６５号公報
【考案の概要】
【考案が解決しようとする課題】
【０００４】
しかし、特許文献１で開示されるようなスナップによる係止は、例えば裾を踏みつける、ズボンが引っかかる等による外力が加わると容易に外れてしまう可能性がある。また、複数のスナップが使用されない状態で脇縫い及び内股縫いのいずれかに残されるため、着用時にそれらが素肌に当たり、違和感を覚える可能性がある。
【０００５】
そこで本考案では、ズボンの股下寸法を容易に調整可能で、調整後の股下寸法の保持性と、着用感とに優れたズボンの提供を目的とする。
【課題を解決するための手段】
【０００６】
上記目的を達成するために、請求項１に記載の考案は、ズボンに形成される右左各々の筒状部の筒内の脇縫目縫い代部及び内股縫目縫い代部における裾口の近傍に、所定間隔を隔ててスリット状のボタン穴が複数設けられた裾丈方向に延びる長尺状の裏地布を備え、裏地布は、裾丈方向に並行な一辺を除く三辺が脇縫目縫い代部及び内股縫目縫い代部に縫合され、脇縫目縫い代部及び内股縫目縫い代部の裾口側先端部に、ボタン穴に係止可能なボタンが設けられ、裾口を筒状部の筒内に折り返すと共に、ボタンを任意のボタン穴に係止することで、筒状部の裾丈方向の寸法をを調整可能であることを特徴とする。
【考案の効果】
【０００７】
請求項１に記載の考案によれば、裾口を筒状部の筒内に折り返し、ボタン穴とボタンとを係止するだけで、筒状部の裾丈方向の寸法、即ちズボンの股下寸法を容易に調整可能である。また、ボタン穴を設けた裏地布の一辺を縫合しないことで、ボタンを係止する作業が容易となる。さらに、ボタン穴はスリット状であることから、着用時に裏地布が肌に当たったとしても違和感を感じることはなく、着用感に優れる。さらにまた、ボタンをボタン穴に通して係止するため、股下寸法を調整した状態の保持性に優れる。
【図面の簡単な説明】
【０００８】
【図１】本考案のズボンを示す説明図である。
【図２】脇縫目縫い代部における裾口近傍を示す説明図である。
【図３】股下寸法を調整した状態の脇縫目縫い代部における裾口近傍を示す説明図である。
【考案を実施するための形態】
【０００９】
以下、本考案の実施例の形態を図面に基づいて説明する。
図１は、本考案のズボンを示す説明図である。
ズボン１は、着用者の両足を通す筒状部２，３を備える。筒状部２，３は、前身頃と後身頃とを脇縫目及び内股縫目で縫い合わせることで筒状になっており、筒状部２，３の筒内には、脇縫目に沿って丈方向に延びる脇縫目縫い代部４，５が形成され、内股縫目に沿って丈方向に延びる内股縫目縫い代部６，７が形成される。
また、筒状部２，３の筒内には、脇縫目縫い代部４，５上及び内股縫目縫い代部６，７上で裾口２ａ，３ａ側の先端部に、ボタン８，８，８，８が設けられている。
さらに、脇縫目縫い代部４，５上及び内股縫目縫い代部６，７上であって、各ボタン８の上方には、丈方向に延びる裏地布９が設けられている。
【００１０】
図２は、筒状部の筒内の脇縫目縫い代部における裾口近傍を示す説明図である。
以下、ズボン１の筒状部２の裾口２ａの近傍の構成について、脇縫目縫い代部４を取り上げて説明する。ズボン１の筒状部２，３の脇縫目縫い代部４，５及び内股縫目縫い代部６，７の裾口近傍は、全て同様の構成を有するため、筒状部２の内股縫目縫い代部６、筒状部３の脇縫目縫い代部５及び内股縫目縫い代部７における脇縫目縫い代部４と同様の符号が付された構成の説明は省略する。
筒状部２の脇縫目縫い代部４に設けられた裏地布９は、上辺、前辺及び底辺の３辺を脇縫目縫い代部４に縫い付けることで固定されている。
また、裏地布９には、縦長のスリット形状のボタン穴１０，１０，１０が３つ形成されている。
【００１１】
次に、ズボン１の股下寸法の調整について説明する。
図３は、股下寸法を調整した状態の脇縫目縫い代部における裾口近傍を示す説明図である。
まず、ズボン１の筒状部２の裾口２ａを筒内へ折り返す。その際、筒状部２が、所望の股下寸法となるように、ここでは、図３に示すように、折返寸法Ｌだけ折り返すこととする。脇縫目縫い代部４に設けられたボタン８を、折返寸法Ｌに対応するボタン穴１０に係止することで、筒状部２における脇縫目側の筒状部２の寸法、即ち股下寸法が、調整される。この時、裏地布９の後辺を脇縫目縫い代部４に縫い付けなかったことで、脇縫目縫い代部４と裏地布９との間に指を挿入することができるため、ボタン８をボタン穴１０に容易に係止することができる。また、ボタン８とボタン穴１０の組み合わせによる係止のため、ボタン８がボタン穴１０から容易に外れることがないため、寸法調整状態の保持性に優れる。
続いて、上記と同様の手順で、筒状部２の内股縫目縫い代部６に設けられたボタン８を折返寸法Ｌに対応するボタン穴１０に係止することで、内股縫目側の股下寸法が調整される。これにより、筒状部２の股下寸法が、折返寸法Ｌの分だけ短く調整された状態となる。このように、筒状部２の筒内における裾口２ａ近傍に設けられたボタン８と裏地布９に設けられたボタン穴１０とを係止するだけで、筒状部２の股下寸法を容易に調整できる。
引き続き、筒状部３に対して、筒状部２に行ったものと同様の手順により股下寸法の調整を行うことで、ズボン１の股下寸法が調整できる。
【００１２】
上記形態のズボン１は、ズボン１に形成される右左各々の筒状部２，３の筒内の脇縫目縫い代部４，５及び内股縫目縫い代部６，７における裾口２ａ，３ａの近傍に、所定間隔を隔ててスリット状のボタン穴１０が複数設けられた裾丈方向に延びる長尺状の裏地布９を備え、裏地布９は、裾丈方向に並行な一辺を除く三辺が脇縫目縫い代部４，５及び内股縫目縫い代部６，７に縫合され、脇縫目縫い代部４，５及び内股縫目縫い代部６，７の裾口側先端部に、ボタン穴１０に係止可能なボタン８が設けられ、裾口２ａ，３ａを筒状部２，３の筒内に折り返すと共に、ボタン８を任意のボタン穴１０に係止することで、股下寸法を調整可能である。
このように構成されるズボン１は、裾口２ａ，３ａを筒状部２，３の筒内に折り返し、ボタン穴１０とボタン８とを係止するだけで、ズボン１の股下寸法を容易に調整可能である。また、ボタン穴１０を設けた裏地布９の一辺を縫合しないことで、ボタン８を係止する作業が容易となる。さらに、ボタン穴１０はスリット状であることから、着用時に裏地布９が肌に当たったとしても違和感を感じることはなく、着用感に優れる。さらにまた、ボタン８をボタン穴１０に通して係止するため、股下寸法を調整した状態の保持性に優れる。
【００１３】
以上は、本考案を図示例に基づいて説明したものであり、その技術範囲はこれに限定されるものではない。例えば、裏地布に設けられるボタン穴の数は、任意に設定可能で有り、設定したボタン穴の数に応じて、裏地布のサイズを変更しても良い。
また、ボタン穴は、裾丈方向に延びるスリット状以外にも、着用時に地面と並行方向に延びるスリットである等してもよい。
また、ボタンの形状、大きさ、材質は、限定されない。裏地布及びボタン穴についても同様である。
また、裏地布は、前辺を縫合せず、後辺を各縫い代部に縫合してズボンに取り付けても良い。
【符号の説明】
【００１４】
１・・ズボン、２・・筒状部、２ａ・・裾口、３・・筒状部、３ａ・・裾口、４・・脇縫目縫い代部、５・・脇縫目縫い代部、６・・内股縫目縫い代部、７・・内股縫目縫い代部、８・・ボタン、９・・裏地布、１０・・ボタン穴。
【図１】
0003233079.tif 000003
【図２】
0003233079.tif 000004
【図３】
0003233079.tif 000005